(57)【特許請求の範囲】
【請求項１】
複数種類の項目を選択する複数の項目選択領域と、前記複数種類の項目の中からいずれか１つの項目選択領域に対応した項目内容を表示する表示領域と、からなる表示画面を表示する表示手段と、前記表示手段における表示を制御する表示制御手段と、前記複数種類の項目選択領域の中から何れかの前記項目選択領域を選択する選択スイッチと、前記選択スイッチによって選択された前記項目選択領域の項目を確定する確定スイッチと、を有し、前記確定スイッチによって確定された項目に対応した項目内容に、前記表示制御手段が前記表示領域の表示内容を切り替えて表示させる車両用マルチ表示装置において、
前記表示領域に項目内容が表示されている前記項目選択領域とは異なる前記項目選択領域の前記項目に対応した事象の発生を検出する事象発生検出手段を有し、
前記表示制御手段が、
前記検出した事象に対応する前記項目選択領域を強調表示状態に切り替えて前記表示手段に表示させる検出時制御手段と、
前記項目選択領域が前記強調表示状態で表示されているときに、前記確定スイッチの操作に応じて前記強調表示状態の前記項目選択領域に対応した項目内容に、前記表示領域の表示内容を切り替えて前記表示手段に表示させる表示内容切替手段と、
を有することを特徴とする車両用マルチ表示装置。
【請求項２】
前記表示制御手段が、前記複数種類の項目に対応した事象の発生が検出されてから予め定められた所定時間が経過したときに、前記強調表示状態で前記表示画面に表示されている前記項目選択領域を前記選択可能状態に復帰させる状態復帰手段を有することを特徴とする請求項１に記載の車両用マルチ表示装置。
【請求項３】
前記複数種類の項目の各々には優先度が割り振られており、
前記事象発生検出手段が、前記複数種類の項目の各々に対応した複数の事象のうち、予め定められた優先度の事象を検出する手段であることを特徴とする請求項１又は２に記載の車両用マルチ表示装置。
【発明の詳細な説明】
【技術分野】
【０００１】
本発明は、複数の項目選択領域と選択され項目選択領域に対応した項目内容を表示する表示領域とからなる表示画面の表示を、選択スイッチと確定スイッチの操作に応じて制御する車両用マルチ表示装置に関するものである。
【背景技術】
【０００２】
一般に車両には、車両速度、エンジン回転、燃料残量、温度等の計測値を表示する複数種類の計器を有するコンビネーションメータが搭載されている。そして、コンビネーションメータの中には、図７に示すようなマルチ表示装置１００を備えたものがある。マルチ表示装置１００は、コンビネーションメータの中央等に配置されて、複数種類の表示を行っている。マルチ表示装置１００は、複数の操作スイッチに対する運転者の操作によって表示内容を切り替えている。
【０００３】
図７において、マルチ表示装置１００は、例えば速度警報、レブリミッタ、ウォーニング、ドライブモニタ、等の複数種類の項目選択領域１１０と、複数種類の項目の中から選択された項目選択領域１１０に対応した項目内容を表示する表示領域１２０と、複数種類の項目選択領域１１０の中から選択可能状態となっている項目選択領域１１０を指示するカーソル１３０と、からなる１つの表示画面Ｇを表示している。そして、マルチ表示装置１００は、操作スイッチに対する運転者の操作に応じてカーソル１３０を複数の項目選択領域１１０に沿って移動させると共に、該カーソル１３０が指示している項目選択領域１１０を選択可能（強調）状態で表示し、それ以外の項目選択領域１１０を選択不能状態で表示する。この状態で確定用の操作スイッチが運転者によって操作されると、マルチ表示装置１００は前記確定スイッチによって確定された項目に対応した項目内容に表示領域１２０の表示内容を切り替えて表示する。そのため、運転者は表示領域１２０の表示内容を所望の表示内容に切り替えるために、複数種類の操作スイッチを操作する必要があった。
【０００４】
また、特許文献１に示す操作スイッチにおいては、頻繁に利用される特定操作アイテムの表示位置にカーソルを自動的に移動させることにより、煩雑な操作を要することなく、この操作アイテムの選択を迅速かつ容易に実行できるようにしている。詳細には、スイッチが長押しされた場合に、特定操作アイテムの選択位置にカーソルを一気に移動させることにより、この特定操作アイテムが優先して選択されるように誘導している。
【先行技術文献】
【特許文献】
【０００５】
【特許文献１】特開２００８−４４４９５号公報
【発明の概要】
【発明が解決しようとする課題】
【０００６】
しかしながら、引用文献１は運転者はカーソルを移動させるために操作スイッチの長押しを行う必要があり、運転中の運転者には依然として煩わしいものであった。また、上記従来のマルチ表示装置においては、優先度の高い事象の発生は間違いなく利用者に認識させる必要があった。そのため、上記マルチ表示装置は、優先度の高い事象の発生に応じてカーソルを自動で移動させると共に、内容表示領域の表示内容を当該優先度の高い項目に自動的に切り替えることも検討されてきたが、そのとき表示している表示内容は利用者が必要な情報を表示しているため、利用者が既に認識している優先度の高い情報が表示されてしまうという問題が生じてしまう。
【０００７】
例えば、上記マルチ表示装置が車両用の場合、車両停止時にシートーベルトを装着する前に、速度警報等の設定値を確認しようとしたときに、シートベルト警報が前記表示領域に優先して表示してしまうとの問題が生じる。また、車両がオーバーヒートで停車中、かつ、メンテナンス情報にて緊急時の電話番号等を確認中に、エンジンオイルの低下状態となったときに、それを強制的に前記表示領域に優先表示してしまうという問題が生じてしまう。このように表示内容を勝手に切り替えてしまうと、運転者に不快感を与え且つ運転者を煩わせてしまう。
【０００８】
よって本発明は、上述した問題点に鑑み、表示領域に表示している項目とは異なる項目に対応した事象が発生したときに、運転者に不快感を与えることを防止し且つ運転者を煩わせない車両用マルチ表示装置を提供することを課題としている。
【課題を解決するための手段】
【０００９】
上記課題を解決するため本発明によりなされた請求項１記載の車両用マルチ表示装置は、図１の基本構成図に示すように、複数種類の項目を選択する複数の項目選択領域３１と、前記複数種類の項目の中からいずれか１つの項目選択領域３１に対応した項目内容を表示する表示領域３２と、からなる表示画面３０を表示する表示手段３と、前記表示手段３における表示を制御する表示制御手段１１ａと、前記複数種類の項目選択領域３１の中から何れかの前記項目選択領域３１を選択する選択スイッチ５と、前記選択スイッチ５によって選択された前記項目選択領域３１の項目を確定する確定スイッチ６と、を有し、前記確定スイッチ６によって確定された項目に対応した項目内容に、前記表示制御手段１１ａが前記表示領域３２の表示内容を切り替えて表示させる車両用マルチ表示装置１において、前記表示領域に項目内容が表示されている前記項目選択領域とは異なる前記項目選択領域の前記項目に対応した事象の発生を検出する事象発生検出手段１１ｂを有し、前記表示制御手段１１ａが、前記検出した事象に対応する前記項目選択領域３１を強調表示状態に切り替えて前記表示手段３に表示させる検出時制御手段１１ａ１と、前記項目選択領域３１が前記強調表示状態で表示されているときに、前記確定スイッチ６の操作に応じて前記強調表示状態の前記項目選択領域に対応した項目内容に、前記表示領域３２の表示内容を切り替えて前記表示手段３に表示させる表示内容切替手段１１ａ２と、を有することを特徴とする。
【００１０】
上記請求項１に記載した本発明の車両用マルチ表示装置によれば、選択スイッチ５の操作によって項目選択領域３１が選択される。この表示状態で確定スイッチ６が操作されると、当該項目選択領域３１に対応した項目内容が表示領域３２に表示される。そして、事象発生検出手段１１ｂが選択状態の項目選択領域３１とは異なる項目選択領域の項目に対応した事象発生を検出すると、検出時制御手段１１ａ１は検出された事象に対応する項目選択領域３１を強調表示状態に切り替えて表示手段３に表示させる。そして、該表示状態で確定スイッチ６が操作されると、表示内容切替手段１１ａ２は強調表示状態の項目選択領域３１に対応した項目内容に、表示領域３２の表示内容を切り替えて表示手段３に表示させる。
【００１１】
請求項２記載の発明は、図１の基本構成図に示すように、請求項１に記載の車両用マルチ表示装置において、前記表示制御手段１１ａが、前記複数種類の項目に対応した事象の発生が検出されてから予め定められた所定時間が経過したときに、前記強調表示状態で前記表示画面に表示されている前記項目選択領域３１を前記選択可能状態に復帰させる状態復帰手段１１ａ３を有することを特徴とする。
【００１２】
上記請求項２に記載した本発明の車両用マルチ表示装置によれば、事象発生検出手段１１ｂが事象発生を検出してから所定時間が経過すると、状態復帰手段１１ａ３は表示手段３に対して、強調表示状態で表示画面３０に表示されている項目選択領域３１を選択不能状態に復帰させて表示する。
【００１３】
請求項３記載の発明は、図１の基本構成図に示すように、請求項１又は２に記載の車両用マルチ表示装置において、前記複数種類の項目の各々には優先度が割り振られており、前記事象発生検出手段１１ｂが、前記複数種類の項目の各々に対応した複数の事象のうち、予め定められた優先度の事象を検出する手段であることを特徴とする。
【００１４】
上記請求項３に記載した本発明の車両用マルチ表示装置によれば、事象発生検出手段１１ｂは、前記複数種類の項目の各々に優先度が割り振られていると、予め定められた優先度に対応した事象を検出する。
【発明の効果】
【００１５】
以上説明したように請求項１に記載した本発明の車両用マルチ表示装置によれば、選択状態とは異なる項目の事象を検出すると、該事象に対応した項目選択領域を強調表示状態で表示するため、事象が発生した項目を運転者等に迅速に認識させることができる。そして、当該強調表示状態の項目選択領域を選択したい場合、選択スイッチを操作する必要がなく、単に確定スイッチを操作するだけでよいため、運転者を煩わせることはない。また、運転者等の都合の良いときに確定スイッチを操作すれば、強調表示状態の項目を表示領域に表示させることができるため、表示内容が勝手に切り替わって運転者に不快感を与えることもない。従って、表示領域に表示している項目とは異なる項目に対応した事象が発生したときに、運転者に不快感を与えることを防止し且つ運転者を煩わせない車両用マルチ表示装置を提供することができる。
【００１６】
請求項２に記載した本発明の車両用マルチ表示装置によれば、請求項１に記載の発明の効果に加え、項目選択領域を強調表示状態で表示しても、表示領域に表示している項目とは異なる項目に対応した事象の発生を検出してから所定時間が経過すると、強調表示状態から選択可能状態に復帰させるようにしたことから、運転継続には煩わしい強調表示状態に対する解除操作も不要であるため、運転者等にとっては煩わしいが迅速に認識し易い強調表示状態の表示形態を用いることができると共に、強調表示状態による煩わしさを運転者等に与えること最低限に抑えることができる。
【００１７】
請求項３に記載した本発明の車両用マルチ表示装置によれば、請求項１又は２に記載の発明の効果に加え、複数種類の項目の各々に優先度を割り振り、予め定められた優先度に対応した事象を検出するようにしたことから、例えば、優先度の高い項目の事象は検出し、優先度の低い項目の事象は検出しない、等のように検出対象とする項目の事象を絞り込むことができるため、１つの項目選択領域が強調表示状態に切り替わる頻度を低減させることができ、また、複数の項目選択領域が同時に強調表示状態に切り替わることを防止できる。
【図面の簡単な説明】
【００１８】
【図１】本発明の車両用マルチ表示装置の基本構成を示す構成図である。
【図２】本発明に係るコンビネーションメータの外観を示す正面図である。
【図３】図２のコンビネーションメータのシステム構成の一例を示す構成図である。
【図４】本発明に係る表示画面の表示例の一例を示す図であり、（ａ）は事象検出時、（ｂ）は事象検出後に確定された時をそれぞれ示している。
【図５】項目選択領域の状態遷移の一例を示す遷移図である。
【図６】図３中のＣＰＵが実行する本発明にかかるマルチ表示制御処理の一例を示すフローチャートである。
【図７】従来のマルチ表示装置の表示例を示す図である。
【発明を実施するための形態】
【００１９】
以下、本発明に係る車両用マルチ表示装置を、車両に搭載されるコンビネーションメータに適用する場合の一実施形態を、図２〜図６の図面を参照して以下に説明する。
【００２０】
図２及び図３において、コンビネーションメータ１は、車両速度、エンジン回転、燃料残量、温度等の計測値を表示する複数の計器２と、液晶ディスプレイ（ＬＣＤ）３と、複数のウォーニング４と、第１スイッチ５と、第２スイッチ６と、トリップスイッチ７と、を有して構成している。そして、コンビネーションメータ１は、周知であるように、複数の計器２とＬＣＤ３との間は見返し８が配置されており、それらを表ガラス９で覆った状態で車両の運転席の前方に配置されている。
【００２１】
複数の計器２の各々は、周知であるように、表面に目盛及び数字、文字または記号等の指標が設けられた文字板と、該文字板の前面に配置される指針と、計測量に応じて指針を駆動する内機と、を有して構成している。本実施形態の複数の計器２は、速度計（ＳＰＥＥＤ）２ａと回転計（ＲＥＶ）２ｂとを有している。
【００２２】
コンビネーションメータ１は、図３に示すように、ＣＰＵ（central processing unit）１１と、ＲＯＭ（read only memory）１２と、ＲＡＭ（random access memory）１３と、ＥＥＰＲＯＭ１４と、通信部１５と、を有している。
【００２３】
ＣＰＵ１１は、コンビネーションメータ１全体の制御を司り、ＲＯＭ１２に記憶されているプログラムに従った制御を行う。ＣＰＵ１１は、電源回路１１ｂを介して車両のバッテリーから供給される電力によって動作する。ＣＰＵ１１は、インタフェース（Ｉ／Ｆ）１１ｉを介して車両のイグニッションスイッチ（ＩＧＮ＋）のＯＦＦ状態からＯＮ状態への変化に応じて起動し、ＩＧＮ＋のＯＮ状態からＯＦＦ状態への変化に応じて動作を終了する。ＣＰＵ１１の入力には、第１スイッチ（ＳＷ１）５、第２スイッチ（ＳＷ２）６、トリップスイッチ７、等が電気的に接続されており、各スイッチの操作に応じて電圧が変化する。
【００２４】
ＲＯＭ１２は、図１に示す請求項中の表示制御手段１１ａ、事象発生検出手段１１ｂ、等の各種手段としてＣＰＵ１１を機能させるための表示制御プログラム、各種計器２の表示を制御するためのプログラム、等を記憶している。表示制御手段１１ａは、検出時制御手段１１ａ１と、表示内容切替手段１１ａ２と、状態復帰手段１１ａ３と、を有している。ＣＰＵ１１は、表示制御プログラムを実行することで、表示制御手段１１ａ、事象発生検出手段１１ｂ、検出時制御手段１１ａ１、表示内容切替手段１１ａ２、状態復帰手段１１ａ３、等の各種手段として機能することになる。また、ＲＡＭ１３は、各種のデータを格納するとともにＣＰＵ１１の処理作業に必要なエリアを有している。
【００２５】
ＥＥＰＲＯＭ１４は、電気的消去／書き換え可能な読み出し専用のメモリであり、ＣＰＵ１１に電気的に接続されている。ＥＥＰＲＯＭ１４は、車両用マルチ表示装置として機能するときに用いるられる各種データを記憶する。
【００２６】
通信部１５は、車両に構築されているＣＡＮ（Controller Area Network）等の車載ネットワークに通信可能に接続され、ＣＡＮ等の通信プロトコルで車載ネットワークに接続された他の電子機器と通信を行う。通信部１５は、ＣＰＵ１１から入力される情報を送信先に送信すると共に、他の電子機器から受信した情報をＣＰＵ１１に出力する。
【００２７】
また、ＣＰＵ１１にはモータドライバ１６とＬＣＤドライバ１７が電気的に接続されている。そして、モータドライバ１６には、速度計２ａ、回転計２ｂの２つの計器２が電気的に接続されている。モータドライバ１６は、ＣＰＵ１１の制御により各計器２の内機（モータ）を駆動させる。これにより、各計器２は指針を計測量に応じた指示位置まで回動させ、文字板の指標と協働して計測量を表示する。
【００２８】
ＬＣＤドライバ１７には、請求項中の表示手段に相当するＬＣＤ３が電気的に接続されており、ＣＰＵ１１の制御によりＬＣＤ３を駆動させる。ＬＣＤ３は、ＣＰＵ１１からの要求に応じた情報を表示することが可能な構成となっている。本実施形態では、図４に示す表示画面３０を表示する場合を説明する。そして、前記表示手段をＬＣＤ３で実現する場合について説明するが、本発明はこれに限定するものではなく、例えばプラズマディスプレイ、有機ＥＬ（organic electroluminescence）ディスプレイ、等の本発明の表示画面３０が表示可能な各種表示装置を用いることができる。
【００２９】
図４において、表示画面３０は、複数（図４中では４つ）の項目選択領域３１と、１つの表示領域３２と、カーソル３３と、トリップ表示領域３４と、を有して構成している。
【００３０】
複数の項目選択領域３１は、「速度警報」を示す項目選択領域３１ａと、「レブリミット」を示す項目選択領域３１ｂと、「ウォーニング」を示す項目選択領域３１ｃと、「ドライブモニタ」を示す項目選択領域３１ｄと、を有している。項目選択領域３１ａ〜ｄは、図４中の方向Ｘに沿って並設されている。各選択領域３１は、反転表示と点滅表示が可能となっている。
【００３１】
表示領域３２は、４つの項目選択領域３１の隣に、略方形状に設けられ、各項目選択領域３１の項目に対応した項目内容が選択的に表示される。そして、図４（ａ）に示すように、項目選択領域３１ａが選択された場合、例えば「速度警報」の項目内容を示す「現在の設定  ８８ｋｍ／ｈ」が表示領域３２に表示される。また、図４（ｂ）に示すように、項目選択領域３１ｃが選択された場合、例えば「ウォーニング」の項目内容を示す「シートベルトの装着を確認してください。（助手席確認）」が表示領域３２に表示される。
【００３２】
カーソル３３は、複数の項目選択領域３１の中から１つの項目選択領域３１を指し示す記号であり、本実施形態では頂点の１つが項目選択領域３１と対向する三角形となっている。カーソル３３は、複数の項目選択領域３１（方向Ｘ）に沿って選択的に移動して表示される。そして、トリップ表示領域３４は、車両の走行距離の累計を積算表示し、任意の区間走行距離を表示する。
【００３３】
上述した構成のコンビネーションメータ１は、本発明にかかる優先情報、表示状態情報、等の各種情報をＥＥＰＲＯＭ１４に記憶している。優先情報は、４つの項目選択領域３１の各々に対応した優先度を示すデータ構造となっている。優先度の高い項目としては、例えば、シートベルトの未装着、水温の異常、オイルレベルの低下、等が挙げられる。そして、表示状態情報は、４つの項目選択領域３１の各々が図５に示す選択可能状態ＳＴ１、選択状態ＳＴ２、強調表示状態ＳＴ３の何れの状態であるかを示すデータ構造となっている。
【００３４】
選択可能状態ＳＴ１は、カーソル３３で指示されてなく、選択スイッチ５の操作によって選択が可能な状態を示している。選択状態ＳＴ２は、確定スイッチ６の操作に応じて選択が確定されて、表示領域３２に項目内容を表示している状態を示している。強調表示状態ＳＴ３は、選択状態となっている項目選択領域３１とは異なる項目選択領域３１の項目に対応した事象の発生に応じて、該当する項目選択領域３１を強調的に表示する状態を示している。強調表示の一例としては、例えば、点滅させて表示したり、警報色で表示するなどの任意の表示形態とすることができる。本実施形態では、強調表示として点滅表示を行う場合について説明する。
【００３５】
選択可能状態ＳＴ１から選択状態ＳＴ２へは、カーソル３３によって指示された選択可能状態ＳＴ１で第２操作スイッチ６が操作されたときに遷移する。選択状態ＳＴ２から選択可能状態ＳＴ１へは、選択状態ＳＴ２で他の項目選択領域３１が確定されたときに遷移する。選択可能状態ＳＴ１から強調表示状態ＳＴ２へは、選択可能状態ＳＴ１で優先情報に対応する項目の事象の発生を検出したときに遷移する。強調表示状態ＳＴ３から選択状態ＳＴ２へは、強調表示状態ＳＴ３で確定操作が行われたときに遷移する。強調表示状態ＳＴ３から選択可能状態ＳＴ１へは、強調表示状態ＳＴ３に状態遷移してから所定の一定時間が経過したときに遷移する。
【００３６】
第１スイッチ５は、図１に示す請求項中の選択スイッチに相当し、カーソル３３が指示していない、選択可能状態の複数種類の項目選択領域３１の中で、選択状態に遷移させる項目選択領域３１へのカーソル３３の切り替え操作に用いられる。第２スイッチ６は、図１に示す請求項中の確定スイッチに相当し、選択された状態又は強調表示状態の項目選択領域３１に対する確定操作に用いられる。トリップスイッチ７は、ＯＤＯ／ＴＲＩＰの表示の切り替えに用いられる。
【００３７】
次に、上述したＣＰＵ１１が実行する前記表示制御プログラムを実行したときに行われるマルチ表示制御処理の一例を、図５のフローチャートを参照して以下に説明する。なお、該マルチ表示制御処理は、所定のタイミングで上位処理から呼び出され、終了要求に応じて処理を終了することを前提としている。
【００３８】
図５に示すマルチ表意制御処理が呼び出されると、ＣＰＵ１１は、ステップＳ１１において、ＥＥＰＲＯＭ１４に優先情報が存在する項目選択領域３１に対応した項目の事象が発生したか否かを判定する。ＣＰＵ１１は前記事象が発生していないと判定した場合（Ｓ１１でＮ）、この判定処理を繰り返すことで、前記事象の発生を待つ。一方、ＣＰＵ１１は、前記事象が発生したと判定した場合（Ｓ１１でＹ）、ステップＳ１２の処理に進む。
【００３９】
ＣＰＵ１１は、ステップＳ１２において、検出した事象に対応した項目選択領域３１を選択可能状態ＳＴ１から強調表示状態ＳＴ３に遷移させ、当該項目選択領域３１の点滅表示をＬＣＤドライバ１７に要求し、その後ステップＳ１３の処理に進む。この処理により、ＬＣＤ３は選択状態ＳＴ２で表示している項目選択領域３１とは異なる項目選択領域３１を、点滅させて表示画面３０を表示する。
【００４０】
ＣＰＵ１１は、ステップＳ１３において、カーソル３３の現在の指示位置を記憶し、検出した事象に対応した項目選択領域３１を指示する位置へのカーソル３３の移動をＬＣＤドライバ１７に要求し、その後ステップＳ１４の処理に進む。この処理により、ＬＣＤ３は、点滅して強調表示状態ＳＴ３の項目選択位置３１の指示位置にカーソル３３を移動させて表示画面３０を表示する。
【００４１】
ＣＰＵ１１は、ステップＳ１４において、項目選択領域３１が強調表示状態ＳＴ３で表示されている状態で、確定用の第２スイッチ６が接続された入力の電圧変化に基づいて、第２スイッチ６が操作されたか否かを判定する。ＣＰＵ１１は、第２スイッチ６が操作されたと判定した場合（Ｓ１４でＹ）、ステップＳ１５の処理に進む。
【００４２】
ＣＰＵ１１は、ステップＳ１５において、選択状態ＳＴ２で表示している項目選択領域３１を選択可能状態ＳＴ１に遷移させ、強調表示状態ＳＴ３で表示している項目選択領域３１を選択状態ＳＴ２に遷移させ、該表示形態への表示変更をＬＣＤドライバ１７に要求する。そして、ＣＰＵ１１は、ステップＳ１７において、表示領域３１の表示内容を強調表示状態ＳＴ３だった項目選択領域３１に対応した項目内容に変更をＬＣＤドライバ１７に要求し、その後ステップＳ１１に戻り、一連の処理を繰り返す。これらの処理により、ＬＣＤ３は強調表示状態ＳＴ３の項目選択領域３１を選択状態ＳＴ２とし、その他の項目選択領域３１の全てを選択可能状態ＳＴ１とし、そして、表示領域３２の表示内容を強調表示状態ＳＴ３だった項目選択領域３１に対応した項目内容に切り替えて表示画面３０を表示する。
【００４３】
また、ＣＰＵ１１は、ステップＳ１４で確定用の第２スイッチ６が操作されていないと判定した場合（Ｓ１４でＮ）、ステップＳ１７において、強調表示状態ＳＴ３での表示を開始してから、一定時間が経過したか否かを判定する。なお、一定時間経過の判定例としては、タイマを用いて求めたり、強調表示状態ＳＴ３への切り替え時間と判定時の時間との差から求めるなどの種々異なる実施形態とすることができる。また、一定時間の設定については、項目の優先度、危険度、等の応じて任意の時間を設定することができる。そして、ＣＰＵ１１は、一定時間が経過していないと判定した場合（Ｓ１７でＮ）、ステップＳ１４の処理に戻り、第２操作スイッチ６の操作を監視する。一方、ＣＰＵ１１は、一定時間が経過していると判定した場合（Ｓ１７でＹ）、ステップＳ１８の処理に進む。
【００４４】
ＣＰＵ１１は、ステップＳ１８において、強調表示状態ＳＴ３から通常の選択可能状態ＳＴ１へ状態を遷移させると共に、選択状態ＳＴ２の項目選択領域３１の指示位置にカーソル４を移動させた表示形態への表示変更をＬＣＤドライバ１７に要求し、その後ステップＳ１１に戻り、一連の処理を繰り返す。これらの処理により、ＬＣＤ３は強調表示状態ＳＴ３の項目選択領域３１が選択可能状態ＳＴ１での表示形態に切り替え、選択状態ＳＴ２及び選択可能状態ＳＴ１の項目選択領域３１と表示領域３２はそのままの表示形態を維持した表示画面３０を表示する。
【００４５】
図６に示すマルチ表示制御処理では、ステップＳ１１を実行したＣＰＵ１１が前記事象発生検出手段１１ｂ、ステップＳ１２〜Ｓ１３を実行したＣＰＵ１１が前記検出時制御手段１１ａ１、ステップＳ１５〜Ｓ１６を実行したＣＰＵ１１が前記表示内容切替手段１１ａ２、ステップＳ１７〜Ｓ１８を実行したＣＰＵ１１が前記状態復帰手段１１ａ３としてそれぞれ機能している。
【００４６】
次に、上述したコンビネーションメータ１の本発明に係る動作（作用）の一例を、図４等の図面を参照して以下に説明する。なお、説明を簡単化するために、ＬＣＤ３の表示制御のみを説明する。
【００４７】
コンビネーションメータ１は、車両のイグニッションスイッチのＯＮに応じて起動されると、表示画面３０をＬＣＤ３に表示させる。そして、コンビネーションメータ１は、「速度警報」に対応した項目選択画面３１ａが第１スイッチ５の操作によって選択されて、第２スイッチ６の操作によって確定されると、その項目内容である「現在の設定  ８８ｋｍ／ｈ」を表示領域３２に表示する。この表示状態で、コンビネーションメータ１は、項目選択領域３１ｃの項目に対応した事象且つ強調表示対象の優先度であるシートベルトの未装着の発生を検出すると、図４（ａ）に示すように、「ウォーニング」に対応した項目選択領域３１ｃを強調表示状態ＳＴ３で点滅表示すると共に、カーソル３３を項目選択領域３３ｃの指示位置に移動させて表示する。
【００４８】
これにより、運転者等は点滅表示している項目選択領域３１ｃを参照することで、何かの警報状態が発生したことを認識することができる。そして、運転者等は表示領域３２に表示されている「速度警報」の項目内容を継続して参照したい場合は、何の操作も行わないことで、表示領域３２の表示内容は継続して表示されるため、何かの警報が発生していることは認識した上で、速度警報の設定を確認することができる。そして、コンビネーションメータ１は、項目選択領域３１ｃを強調表示状態ＳＴ３で表示してから前記一定時間が経過すると、項目選択領域３１ｃを通常の選択可能状態ＳＴ１に復帰させた表示を行う。よって、コンビネーションメータ１は項目選択領域３１ｃの強調表示状態を長時間継続することがないため、運転者等に不快感を与えることもなく、解除操作も不要とすることができる。
【００４９】
また、運転者等は強調表示状態の項目内容を確認したい場合、第２スイッチ６を押下する。そして、コンビネーションメータ１は、第２スイッチ６に対する操作を検出すると、図４（ｂ）に示すように、「ウォーニング」の項目選択領域３１ｃを強調表示状態ＳＴ３から選択状態ＳＴ２とし、カーソル３３を項目選択領域３１ｃの指示位置に移動し、「速度警報」の項目選択領域３１ａを選択状態ＳＴ２から選択可能状態ＳＴ１とした表示画面３０をＬＣＤ３に表示する。これにより、運転者は表示領域３２を参照することで、「シートベルトの装着を確認してください。  助手席確認」の項目内容（警報内容）の詳細を確認することができる。
【００５０】
以上説明したコンビネーションメータ（車両用マルチ表示装置）１によれば、選択状態ＳＴ２とは異なる項目の事象を検出すると、該事象に対応した項目選択領域３１を強調表示状態ＳＴ３で表示するため、事象が発生した項目を運転者等に迅速に認識させることができる。そして、当該強調表示状態ＳＴ３の項目選択領域３１を選択したい場合、第１（選択）スイッチ５を操作する必要がなく、単に第２（確定）スイッチ６を操作するだけでよいため、運転者を煩わせることはない。また、運転者等の都合の良いときに第２スイッチ６を操作すれば、強調表示状態ＳＴ３の項目を表示領域３２に表示させることができるため、表示内容が勝手に切り替わって運転者に不快感を与えることもない。従って、表示領域３２に表示している項目とは異なる項目に対応した事象が発生したときに、運転者に不快感を与えることを防止し且つ運転者を煩わせないコンビネーションメータ１を提供することができる。
【００５１】
また、上述したコンビネーションメータ１によれば、項目選択領域３１を強調表示状態ＳＴ３で表示しても、表示領域３２に表示している項目とは異なる項目に対応した事象の発生を検出してから一定（所定）時間が経過すると、強調表示状態ＳＴ３から選択可能状態ＳＴ１に復帰させるようにしたことから、運転継続には煩わしい強調表示状態ＳＴ３に対する解除操作も不要であるため、運転者等にとっては煩わしいが迅速に認識し易い強調表示状態ＳＴ３の表示形態を用いることができると共に、強調表示状態ＳＴ３による煩わしさを運転者等に与えること最低限に抑えることができる。
【００５２】
さらに、上述したコンビネーションメータ１によれば、複数種類の項目の各々に優先度を割り振り、予め定められた優先度に対応した事象を検出するようにしたことから、優先度の高い項目の事象は検出し、優先度の低い項目の事象は検出しないように、検出対象とする項目の事象を絞り込むことができるため、１つの項目選択領域３１が強調表示状態ＳＴ３に切り替わる頻度を低減させることができ、また、複数の項目選択領域３１が同時に強調表示状態ＳＴ３に切り替わることを防止できる。
【００５３】
なお、上述した実施形態では、本発明の車両用マルチ表示装置をコンビネーションメータ１で実現する場合について説明した。詳細には、コンビネーションメータ１のＬＣＤ３とＣＰＵ１１とによって車両用マルチ表示装置を実現している。これに代えて、車両用マルチ表示装置を例えば車両のカーナビゲーション装置、カーオーディオ装置、等の各種車載装置で実現することができる。
【００５４】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００５５】
１    車両用マルチ表示装置（コンビネーションメータ）
３    表示手段
５    選択スイッチ（第１スイッチ）
６    確定スイッチ（第２スイッチ）
１１ａ    表示制御手段（ＣＰＵ）
１１ａ１    検出時制御手段（ＣＰＵ）
１１ａ２    表示内容切替手段（ＣＰＵ）
１１ａ３    状態復帰手段（ＣＰＵ）
１１ｂ    事象発生検出手段（ＣＰＵ）
３０    表示画面
３１    項目選択領域
３２    表示領域
【図１】
0005562622.tif 000002
【図２】
0005562622.tif 000003
【図３】
0005562622.tif 000004
【図４】
0005562622.tif 000005
【図５】
0005562622.tif 000006
【図６】
0005562622.tif 000007
【図７】
0005562622.tif 000008